(57)【特許請求の範囲】
【請求項１】
コンピュータを
印刷装置における出力物の仕分けが設定される際に、複数の仕分け方法から１つの前記仕分け方法が選択された場合、選択された前記仕分け方法及び前記印刷装置からすでに出力されている第２の出力物の最後の出力態様に基づいて生成された、前記印刷装置から次に出力される第１の出力物の出力態様を示す第１の画像と、前記第２の出力物の出力態様を示す第２の画像とを合わせて表示するとともに、前記第１の画像を前記第２の画像よりも強調して表示する表示手段として、
機能させる印刷制御プログラム。
【請求項２】
前記仕分け方法は、出力方向を交互に変更することで出力物を仕分けるジョブセパレート、出力位置を排出トレイ上で左右交互にずらして出力物を仕分けるオフセット排出、または排出トレイを切り替えて出力物を仕分ける排出先切替のいずれかである請求項１に記載の印刷制御プログラム。
【請求項３】
前記表示手段は、前記仕分け方法が前記ジョブセパレートであって、仕分けの単位が印刷の属性である場合に、前記第１及び第２の出力物の出力態様を示す第１及び第２の画像として、各属性に対応する前記第１及び第２の出力物がそれぞれ識別される態様の前記第１及び第２の画像を表示する請求項２に記載の印刷制御プログラム。
【請求項４】
印刷装置における出力物の仕分けが設定される際に、複数の仕分け方法から１つの前記仕分け方法が選択された場合、選択された前記仕分け方法及び前記印刷装置からすでに出力されている第２の出力物の最後の出力態様に基づいて生成された、前記印刷装置から次に出力される第１の出力物の出力態様を示す第１の画像と、前記第２の出力物の出力態様を示す第２の画像とを合わせて表示するとともに、前記第１の画像を前記第２の画像よりも強調して表示する表示手段を有する情報処理装置。
【発明の詳細な説明】
【技術分野】
【０００１】
本発明は、印刷制御プログラム及び情報処理装置に関する。
【背景技術】
【０００２】
オフィス等においては、複数の端末（パソコン）を１台の印刷装置（プリンタ）とＬＡＮ（Ｌｏｃａｌ  Ａｒｅａ  Ｎｅｔｗｏｒｋ）等のネットワークで結んで、複数のユーザが１台の印刷装置を共有して用いる場合が多い。そのとき１台の印刷装置に複数のユーザの印刷ジョブにかかる記録用紙が出力されるため、誰が印刷したものか、どの印刷ジョブのものかが分かるようにするために、印刷装置において記録用紙を仕分けて出力するようにしている。
【０００３】
このような従来技術として、例えば、印刷装置の排紙トレイ部分にオフセット機能や複数の排紙トレイ等の装備を付加する等のコストを掛けずに、ユーザ単位での回収を容易にできる印刷システムが提案されている（例えば、特許文献１等参照）。また、例えば、印刷された用紙をジョブ属性単位で容易に区別することができる印刷出力装置が提案されている（例えば、特許文献２等参照）。また、例えば、あるユーザの印刷ジョブを実行中に他のユーザの印刷ジョブが投入されても、これら複数の印刷物の混在を防止できる画像形成装置が提案されている（例えば、特許文献３等参照）。
【０００４】
特許文献１に記載された印刷システムでは、印刷装置は印刷ジョブを受け付けると、印刷指定をしたユーザ名を前回の印刷ジョブのユーザ名と比較し、ユーザ名が異なる場合には、前回の印刷における用紙方向とは異なる方向（前回が縦方向なら今回は横方向）の用紙を用いて出力するようにして、印刷装置側でユーザ毎に用紙方向を縦横に切り替えて仕分けを行っている。
【０００５】
特許文献２に記載された印刷出力装置では、先の印刷ジョブのジョブ属性と後の印刷ジョブのジョブ属性が異なる場合、後の印刷ジョブの用紙を、先の印刷ジョブの用紙からずれた位置に排出するようにして仕分けを行っている。ここで、ジョブ属性としては、印刷ジョブを作成する情報処理装置のホスト名、ＩＰアドレス、ユーザ名、ジョブ名等が挙げられているが、ユーザ名を用いた場合には、ユーザが切り替わる毎にオフセットの排出位置を切り替えて仕分けされる。
【０００６】
また特許文献３に記載された画像形成装置では、あるユーザＡの印刷ジョブを印刷中に他のユーザＢが印刷ジョブを投入しても、ユーザＡがログイン中はユーザＢの印刷ジョブは保留状態となる。そして、ユーザＡの印刷ジョブが終了しユーザＡがログアウトしてから、保留状態のユーザＢの印刷ジョブによる印刷物を排出トレイに排出するようにして、複数のユーザの印刷物が排出トレイ上で混在するのを防いでいる。
【先行技術文献】
【特許文献】
【０００７】
【特許文献１】特開２０１０−０７２６７１号公報
【特許文献２】特開２００９−２６２４９３号公報
【特許文献３】特開２００９−０３３２４１号公報
【発明の概要】
【発明が解決しようとする課題】
【０００８】
本発明の目的は、印刷装置における出力物の仕分けが設定される際に、当該出力物の出力予定の態様を表示する印刷制御プログラム及び情報処理装置を提供することにある。
【課題を解決するための手段】
【０００９】
本発明の一態様は、上記目的を達成するため、以下の印刷制御プログラム、情報処理装置及び印刷システムを提供する。
【００１０】
［１］コンピュータを
印刷装置における出力物の仕分けが設定される際に、複数の仕分け方法から１つの前記仕分け方法が選択された場合、選択された前記仕分け方法及び前記印刷装置からすでに出力されている第２の出力物の最後の出力態様に基づいて生成された、前記印刷装置から次に出力される第１の出力物の出力態様を示す第１の画像と、前記第２の出力物の出力態様を示す第２の画像とを合わせて表示するとともに、前記第１の画像を前記第２の画像よりも強調して表示する表示手段として、
機能させる印刷制御プログラム。
［２］前記仕分け方法は、出力方向を交互に変更することで出力物を仕分けるジョブセパレート、出力位置を排出トレイ上で左右交互にずらして出力物を仕分けるオフセット排出、または排出トレイを切り替えて出力物を仕分ける排出先切替のいずれかである前記［１］に記載の印刷制御プログラム。
［３］前記表示手段は、前記仕分け方法が前記ジョブセパレートであって、仕分けの単位が印刷の属性である場合に、前記第１及び第２の出力物の出力態様を示す第１及び第２の画像として、各属性に対応する前記第１及び第２の出力物がそれぞれ識別される態様の前記第１及び第２の画像を表示する前記［２］に記載の印刷制御プログラム。
［４］印刷装置における出力物の仕分けが設定される際に、複数の仕分け方法から１つの前記仕分け方法が選択された場合、選択された前記仕分け方法及び前記印刷装置からすでに出力されている第２の出力物の最後の出力態様に基づいて生成された、前記印刷装置から次に出力される第１の出力物の出力態様を示す第１の画像と、前記第２の出力物の出力態様を示す第２の画像とを合わせて表示するとともに、前記第１の画像を前記第２の画像よりも強調して表示する表示手段を有する情報処理装置。
【発明の効果】
【００１１】
請求項１及び４に係る発明によれば、印刷装置における出力物の仕分けが設定される際に、当該出力物の出力予定の態様が表示されるとともに、以前に出力された出力物の出力態様を示す画像が合わせて表示される。
請求項２に係る発明によれば、仕分け方法として、出力方向を交互に変更することで出力物を仕分けるジョブセパレート、出力位置を排出トレイ上で左右交互にずらして出力物を仕分けるオフセット排出、または排出トレイを切り替えて出力物を仕分ける排出先切替が用いられるようになる。
請求項３に係る発明によれば、仕分け方法がジョブセパレートであって、仕分けの単位が印刷の属性である場合に、出力物の出力態様を示す画像として、各属性に対応する出力物がそれぞれ識別される態様の画像が表示される。
【図面の簡単な説明】
【００１２】
【図１】図１は、本実施の形態に係る印刷システムの構成の一例を示す概略図である。
【図２】図２は、本実施の形態に係る端末装置の構成の一例を示すブロック図である。
【図３】図３は、端末装置の情報処理装置としての機能構成を示すブロック図である。
【図４】図４は、情報処理装置の第１の実施の形態の動作を示すフローチャートである。
【図５】図５は、プリンタドライバのＧＵＩ画面の仕分け設定画面の一例である。
【図６】図６は、仕分け情報に保存されている出力物の通紙方向指定の保存内容を表す図である。
【図７】図７は、ジョブセパレートでの仕分けの場合に次に印刷される最初の印刷ジョブの出力結果を視覚的に確認できるようにしたＧＵＩの表示である。
【図８】図８は、情報処理装置の第２の実施の形態の動作を示すフローチャートである。
【図９】図９は、属性設定の仕分け設定画面である。
【図１０】図１０は、仕分け設定値を示す設定値テーブルである。
【図１１】図１１は、情報処理装置の第３の実施の形態の動作を示すフローチャートである。
【図１２】図１２は、仕分け情報に保存されている出力物の通紙方向指定の保存内容を表す図である。
【図１３】図１３は、オフセット排出での仕分けの場合に次に印刷される最初の印刷ジョブの出力結果を視覚的に確認できるようにしたＧＵＩの表示である。
【図１４】図１４は、排出先切替での仕分けの場合に次に印刷される最初の印刷ジョブの出力結果を視覚的に確認できるようにしたＧＵＩの表示である。
【発明を実施するための形態】
【００１３】
［第１の実施の形態］
（印刷システムの構成）
図１は、本実施の形態に係る印刷システムの構成の一例を示す概略図である。
【００１４】
本実施の形態の一例として、印刷システム１は、印刷装置（プリンタ）２に端末装置３が伝送媒体４を介して接続されている。
【００１５】
伝送媒体４としては、例えば、電気ケーブル、光ケーブル等による有線や、赤外線、電波等による無線を用いることができる。
【００１６】
（印刷装置）
印刷装置２は、端末装置３から受信する印刷ジョブ情報に基づいて印刷を実行し、印刷物を出力する印刷機能を有するものである。印刷装置２は、印刷機能の他に紙面等を光学走査するスキャナ機能やファクシミリ機能等を備えたいわゆる複合機であっても良い。また、印刷装置２は、印刷された記録用紙を仕分けして出力するために、複数の用紙トレイ装着口を備え、複数の異なるサイズの記録用紙を異なる給紙方向で収納する用紙トレイが装着されるようになっている。また、排出トレイについては、標準排出トレイを備え、さらにオプション排出トレイを装着してもよい。
【００１７】
（端末装置）
端末装置３は、ユーザの印刷指示を反映した印刷ジョブ情報を生成するとともに、印刷装置２の動作を制御する情報処理装置である。端末装置３の詳しい構成については後述するが、端末装置３は、伝送媒体４を介して外部機器と通信する通信部と、操作入力用のタッチパッド等の操作部と、ＬＣＤ（液晶ディスプレイ）等の表示部と、ＣＰＵ（Ｃｅｎｔｒａｌ  Ｐｒｏｃｅｓｓｉｎｇ  Ｕｎｉｔ）等の制御部と、フラッシュメモリ等の不揮発性メモリで構成される記憶部とを備える。端末装置３としては、例えば、パーソナルコンピューターであり、その他にＰＤＡ（Ｐｅｒｓｏｎａｌ  Ｄｉｇｉｔａｌ  Ａｓｓｉｓｔａｎｔ）や携帯電話等を用いてもよい。
【００１８】
次に、情報処理装置としての端末装置３の構成を説明する。
【００１９】
（情報処理装置としての端末装置の構成）
図２は、本実施の形態に係る情報処理装置としての端末装置３の構成の一例を示すブロック図である。
【００２０】
この端末装置（情報処理装置）３は、ＣＰＵ等から構成される各部を制御するとともに各種のプログラムを実行する制御部３０と、ＨＤＤ（Ｈａｒｄ  Ｄｉｓｋ  Ｄｒｉｖｅ）やフラッシュメモリ等の記録媒体から構成され情報を記憶する記憶装置の一例としての記憶部３１と、ネットワーク４を介して外部と通信する通信部３２とを備える。
【００２１】
制御部３０は、後述する印刷制御プログラム３１０を実行することで、仕分け方法設定手段３００、出力画像生成手段３０１、表示手段３０２及び印刷ジョブ生成手段３０３等として機能する。
【００２２】
仕分け方法設定手段３００は、印刷装置２の出力物の仕分け方法を設定する。
【００２３】
仕分け方法としては、ジョブセパレートで仕分けして出力する方法、オフセット排出で仕分けして出力する方法、あるいは排出先切替で仕分して出力する方法等がある。ジョブセパレートでの仕分けは、例えば、印刷ジョブ毎に記録用紙を縦方向の給紙と横方向の給紙を切り替えて出力するように、出力方向で出力物を仕分けするものである。オフセット排出での仕分けは、印刷ジョブ等の仕分け単位毎に記録用紙の排出位置を一つの排出トレイの中で左右にずらして排出することで仕分けするものである。また、排出先切替での仕分けは、印刷装置が複数の排出トレイを備えている場合に、印刷ジョブ毎に記録用紙を別々の排出トレイに出力して仕分けするものである。
【００２４】
また、仕分けをする単位としては、印刷ジョブを単位とする方法と、印刷の属性を単位とする方法とがある。特に、ジョブセパレートで仕分けする場合には、印刷ジョブ単位と属性単位とを選択することができる。印刷の属性は、例えば認証ユーザ名、文書名、フォームファイル名あるいは出力用紙名（記録用紙名）等である。なお、認証ユーザ名は、一台の端末を複数のユーザで使用する場合に各ユーザを識別するためのものである。
【００２５】
仕分け方法設定手段３００によって設定された仕分け方法は、記憶部３１の仕分け情報３１１に保存される。
【００２６】
出力画像生成手段３０１は、仕分け設定手段３００によって設定された仕分け方法で印刷装置２から出力物が排出トレイに出力される際の出力態様を示す画像を生成する。例えば、仕分け方法がジョブセパレートの場合、排出トレイ上に排出される出力物の排出方向を表示する。
【００２７】
表示手段３０２は、出力画像生成手段３０１が生成した画像を仕分けの設定の際にＬＣＤ等の表示部に表示する。これによってユーザは自分が指示した印刷指示によって出力物がどのように出力されるかを認識することができる。
【００２８】
印刷ジョブ生成手段３０３は、ユーザが印刷で指示した内容で印刷データ（印刷原稿）から、印刷装置２が処理可能な印刷ジョブ情報を生成する。
【００２９】
（情報処理装置の機能構成）
図３は、端末装置３の情報処理装置としての機能構成を示すブロック図である。以下、端末装置３を情報処理装置３と言うことにする。すなわち、図３の情報処理装置３は、上で説明した実施の形態における端末装置３のソフトウエア構成を示したものである。
【００３０】
図３に示すように、情報処理装置３では、アプリケーション１０１と、プリンタドライバ１０２と、スプーラ（Ｗｉｎｄｏｗｓ（登録商標）スプーラ）１０３と、言語モニタ１０４が動作する。また、情報処理装置３は、ＨＤＤ（Ｈａｒｄ  Ｄｉｓｋ  Ｄｒｉｖｅ）やフラッシュメモリ等の不揮発性メモリから構成され情報を記憶する記憶装置の一例としての記憶部３１を備えている。また情報処理装置３は、この他にＬＣＤ等の表示部を備えている。
【００３１】
アプリケーション１０１は、ユーザの操作に応じて、原稿データの作成、作成済みの原稿データの取り込みを行うプログラムである。プリンタドライバ１０２は、アプリケーション１０１から印刷データを受けると印刷装置２が処理可能なデータを生成し、スプーラ１０３及び言語モニタ１０４を介して、印刷装置２に送信する。
【００３２】
プリンタドライバ１０２は、その機能として、ＵＩ処理１１０、描画処理１１１を備える。ＵＩ処理１１０は、ユーザとの間でユーザインターフェイスとして機能する。また描画処理１１１は、ＰＤＬ生成処理１１２及びＰＪＬ生成処理１１３を備え、受信した印刷データと付随する属性情報から、印刷ジョブ情報として印刷装置２が処理可能なデータであるページ記述言語（Ｐａｇｅ  Ｄｅｓｃｒｉｐｔｉｏｎ  Ｌａｎｇｕａｇｅ）及びプリンタジョブ言語（Ｐｒｉｎｔｅｒ  Ｊｏｂ  Ｌａｎｇｕａｇｅ）を生成する。
【００３３】
スプーラ１０３は、プリンタドライバ１０２からの印刷指示によりＧＤＩ（Ｇｒａｐｈｉｃ  Ｄｅｖｉｃｅ  Ｉｎｔｅｒｆａｃｅ）経由で印刷装置２に送信する印刷ジョブ情報を一時的に保存するとともに、予め定めた規則に従って印刷ジョブ情報を取り出して言語モニタ１０４に送出するプログラムである。スプーラ１０３としては、図３に示したように、例えばＷｉｎｄｏｗｓ（登録商標）スプーラを用いることができる。
【００３４】
言語モニタ１０４は、印刷装置２との双方向通信を行い、印刷装置２の状態を監視するとともに、印刷ジョブ情報を印刷装置２に送信する。言語モニタ１０４は、予め定められた所定の時間間隔で印刷装置２に問い合わせを行い、印刷装置２の動作情報（前回の印刷ジョブの仕分けにおける通紙方向等の情報を含む）や排出トレイの構成等を取得する。言語モニタ１０４が取得した前回の印刷ジョブの仕分けに関する情報は記憶部３１の仕分け情報３１１として保存される。
【００３５】
ユーザが情報処理装置３にあるアプリケーション１０１により印刷を指示すると、プリンタドライバ１０２のＵＩ処理１１０が呼び出され、印刷設定が行われる。ＵＩ処理１１０によりユーザが印刷指示の項目を指定することで、印刷装置２の出力物の仕分け方法が設定される。設定された仕分け方法は記憶部３１の仕分け情報３１１に保存される。印刷設定を行った後、印刷が開始されると、ＧＤＩによってスプーラ１０３経由でプリンタドライバ１０２に印刷データと付随する属性情報を送信して印刷要求が行われる。
【００３６】
プリンタドライバ１０２の描画処理１１１は、受信した印刷データと付随する属性情報からページ記述言語（ＰＤＬ）とプリンタジョブ言語（ＰＪＬ）を生成して印刷ジョブ情報とし、スプーラ１０３を経由して言語モニタ１０４に送信する。言語モニタ１０４は、スプーラ１０３から受信した印刷ジョブを印刷装置２に送信し、これにより印刷装置２は印刷を実行する。
【００３７】
印刷の実行に先立ち、ＵＩ処理１１０は、記憶部３１の仕分け情報３１１を用いて、これから実行する印刷ジョブにより印刷装置２から出力される出力物の状態を表した画像を生成する。画像には、今回出力される出力物の状態に加えて、以前の印刷ジョブで出力された出力物の状態が表わされる。そして、ＵＩ処理１１０は、生成した画像をＬＣＤ等の表示部に表示する。
【００３８】
このように、ＵＩ処理１１０は、上述した仕分け方法設定手段３００、出力画像生成手段３０１及び表示手段３０２の機能を有している。
【００３９】
（情報処理装置の動作）
以下、図４−図７を用いて、情報処理装置３の第１の実施の形態の動作を説明する。
【００４０】
図４は、情報処理装置３の第１の実施の形態の動作を示すフローチャートである。第１の実施の形態は、仕分け方法としてジョブセパレートが設定された場合に、仕分けの設定の際に、ジョブセパレートによる仕分け結果をユーザに表示するようにしたものである。
【００４１】
図５は、プリンタドライバ１０２のＧＵＩ画面の仕分け設定画面の一例である。ユーザは印刷を指示する際、まずこのＧＵＩ画面を通じて仕分け設定を行う。図５に示す仕分け設定画面２００では、上方の給紙／排出タブ２０６を選択した状態のダイアログ画面が表示されている。仕分け設定画面２００の上方右側には、自動給紙か、手差しか、その際の手差しの用紙種類等を選択する給紙選択ボタン２０７があり、その下側には、排出先を選択する排出先選択ボタン２０８が配置されている。また画面上部左側には印刷の状態を示す表示欄２０９が配置されている。
【００４２】
仕分け設定画面２００の略中央には、仕分け方法を選択する仕分け方法選択ボタン２０１が配置され、その下には仕分けの単位を選択する単位選択ボタン２０２が配置されている。またその下には、仕分けの単位として属性単位が選択された場合に有効となる属性設定ボタン２０５が配置されている。属性設定ボタン２０５は、どのような属性単位にするかを設定するためのボタンである。
【００４３】
また、その右側には、仕分け結果を画像で表示する最初のジョブ出力表示欄２０３が配置されている。なお、ここで「最初のジョブ出力」とは、全印刷ジョブのうち一番最初という意味だけではなく、すでにいくつか印刷ジョブが出力されている状態で、次に出力される最初の印刷ジョブも含むものとする。以下、「最初」という文言は全てこの意味で用いられる。また、その下側には、設定一覧、プリンタ情報取得等のボタン２１０が配置されている。仕分け設定画面２００の一番下側には、設定を反映させて画面を閉じるためのＯＫボタン２０４、設定を取り消すためのキャンセルボタン２１１、設定を反映させて画面表示をそのまま残しておくための適用ボタン２１２、及び設定に関して必要な情報を得るためのヘルプボタン２１３が配置されている。
【００４４】
図５の仕分け設定画面２００に示すように、ここに示す例では、仕分け方法２０１でジョブセパレートが選択され、仕分けの単位２０２としてジョブ単位が選択されている。
【００４５】
図６は、記憶部３１の仕分け情報３１１に保存されている、以前の印刷ジョブでジョブセパレートの仕分けで最後に出力された出力物の通紙方向指定の保存内容を表す図である。図６に示すように、仕分け機能がジョブセパレートに対して最後の通紙方向指定３００がタテまたはヨコのいずれかが指定されている。
【００４６】
図７は、次に印刷される最初の印刷ジョブの出力結果を視覚的に確認できるようにしたＧＵＩの表示画面に係る画像の例である。図７に示すように、次の最初の印刷ジョブの出力がタテ方向の排出の場合には、タテ排出の画面４００が表示される。また次の最初の印刷ジョブの出力がヨコ方向の排出の場合には、ヨコ排出の画面４０１が表示される。このようにそれぞれ次の最初の印刷ジョブ出力は実線で一番上に表示され、その下側に点線でそれ以前の印刷ジョブの出力が表示される。このような表示により、ユーザは今回の出力物と以前の出力物との位置関係を把握する。
【００４７】
ユーザによって印刷が指示されると、図４のフローチャートにおいて、プリンタドライバ１０２のＵＩ処理１１０は、前回印刷装置２においてジョブセパレートによる仕分けで出力した印刷ジョブの最後の通紙方向指定３００を記憶部３１の仕分け情報３１１から読み出す（Ｓ１０）。
【００４８】
次に、今読み出された最後の通紙方向指定３００がタテ排出（タテ方向の排出）か否か判断される（Ｓ１１）。タテ排出の場合には（Ｓ１１；Ｙｅｓ）、図５の仕分け設定画面２００に、図７の最初のジョブ出力としてヨコ排出の画面４０１が表示される（Ｓ１２）。
【００４９】
また、最後の通紙方向指定３００がタテ排出でない場合（Ｓ１１；Ｎｏ）、及びヨコ排出の画面４０１が表示された（Ｓ１２）後、最後の通紙方向指定３００がヨコ排出（ヨコ方向の排出）か否か判断される（Ｓ１３）。ヨコ排出の場合には（Ｓ１３；Ｙｅｓ）、図５の仕分け設定画面２００に、図７の最初のジョブ出力としてタテ排出の画面４００が表示される（Ｓ１４）。
【００５０】
以上の処理において、前回の通紙方向とは異なる通紙方向（最後がタテ排出ならヨコ排出、最後がヨコ排出ならタテ排出）の表示が、仕分け設定画面２００に最初のジョブ出力２０３として表示される。図５に示す例では、最後がヨコ排出の場合で、最初のジョブ出力２０３としてタテ排出の画面４００が表示されている。
【００５１】
また、最後の通紙方向指定３００がヨコ排出でない場合（Ｓ１３；Ｎｏ）、及びタテ排出４００の表示がされた（Ｓ１４）後、ＯＫボタン２０４が押下されたか否か判断される（Ｓ１５）。ＯＫボタン２０４が押下されると（Ｓ１５；Ｙｅｓ）、実際に印刷が開始される。また、ＯＫボタン２０４が押下されていない場合には（Ｓ１５；Ｎｏ）、再度ＯＫボタン２０４の押下の有無が確認される。
【００５２】
実際に印刷が開始されると、プリンタドライバ１０２は、印刷装置２に出力する印刷ジョブ情報のページ記述言語と一緒に印刷ジョブ情報の属性情報として、図５の設定画面２００の最初のジョブ出力２０３で表示されている通紙方向のプリンタジョブ言語を生成し、印刷装置２に出力する。印刷装置２は、これを受けて最初のジョブ出力２０３の表示通りにジョブセパレートで仕分け印刷を行う。
【００５３】
また、プリンタドライバ１０２が、最初のジョブ出力２０３で表示されている通紙方向のプリンタジョブ言語を生成する際、ジョブセパレートで出力した印刷ジョブの通紙方向として、記憶部３１の仕分け情報３１１の最後の通紙方向指定３００（図６参照）に、最初のジョブ出力２０３で表示されている通紙方向の情報が記録される。
【００５４】
（第１の実施の形態の効果）
第１の実施の形態によれば、ジョブセパレートによる仕分けにおける出力物のタテ／ヨコの排出方向をプリンタドライバ１０２で制御するようにしたことにより、印刷装置２でのジョブセパレートによる仕分け結果が仕分けの設定の際に画像で例えばプリンタドライバ１０２のＧＵＩ画面に表示されるようになる。
【００５５】
［第２の実施の形態］
次に本発明の第２の実施の形態について説明する。本第２の実施の形態は、仕分け方法がジョブセパレートであって、仕分けの単位が印刷の属性である場合に、仕分けの設定の際に仕分け結果をユーザに表示するようにしたものである。本第２の実施の形態の印刷システム１及び情報処理装置３の構成は上述した第１の実施の形態と同じである。
【００５６】
図８は、情報処理装置３の第２の実施の形態の動作を示すフローチャートである。以下、フローチャートに沿って本第２の実施の形態における情報処理装置３の動作を説明する。
【００５７】
本第２の実施の形態は、仕分けの単位を印刷の属性としたもので、属性単位の仕分け方法の設定は、図５の仕分け設定画面２００において、仕分け方法２０１でジョブセパレートを選択し、ジョブセパレートを行う単位２０２で属性単位を選択して行われる。プリンタドライバ１０２は、仕分けの単位で属性単位が選択されると、仕分け設定画面２００において属性設定ボタン２０５を有効にする。属性設定ボタン２０５が押下されると属性設定の設定画面が表示される。
【００５８】
図９は、属性設定の仕分け設定画面である。図９に示す属性設定の仕分け設定画面５００によって、どのような印刷の属性でジョブセパレートでの仕分けを行うかが設定される。一方、記憶部３１の仕分け情報３１１には、仕分けを設定するための設定値が記憶されている。図１０は、仕分け設定値を示す設定値テーブルである。
【００５９】
図８のフローチャートにおいて、仕分け設定画面５００で属性設定ボタン２０５が押下されると記憶部３１から図１０に示す設定値テーブル６００が読み出される（Ｓ２０）。読み出された設定値は、属性単位での仕分け設定画面５００に反映される。
【００６０】
例えば、仕分け設定画面５００において、上から、設定１では、仕分け属性５０９は認証ユーザ名、識別文字列５１０はｕｓｅｒＡ、用紙通紙方向５１１はタテ、排出先５１２は標準排出トレイである。設定２では、仕分け属性５０９は認証ユーザ名、識別文字列５１０はｕｓｅｒＢ、用紙通紙方向５１１はヨコ、排出先５１２は標準排出トレイである。また、設定３では、仕分け属性５０９は認証ユーザ名、識別文字列５１０はｕｓｅｒＣ、用紙通紙方向５１１はタテ、排出先５１２はオプション排出トレイである。
【００６１】
また、それぞれの排出イメージを表示する際、属性毎の出力物が識別されるように、それぞれの出力物に別々の色（図柄）５０１、５０２、５０３等々を対応させいてる。
【００６２】
次に、識別文字列があるか否か判断される（Ｓ２１）。識別文字列がある場合には（Ｓ２１；Ｙｅｓ）、用紙通紙方向５１１が読み込まれる（Ｓ２２）。また、識別文字列がない場合には（Ｓ２１；Ｎｏ）、再度属性単位の設定値６００が読み込まれる（Ｓ２０）。
【００６３】
次に、用紙通紙方向５１１がタテ排出か否か判断される（Ｓ２３）。用紙通紙方向５１１がタテ排出の場合には（Ｓ２３；Ｙｅｓ）、排出イメージの画像を生成するためのタテ用紙画像が読み込まれる（Ｓ２４）。また、用紙通紙方向５１１がタテ排出でない場合には（Ｓ２３；Ｎｏ）、同様にヨコ用紙画像が読み込まれる（Ｓ２５）。
【００６４】
次に、排出イメージの画像で属性毎の出力物を識別するために各仕分け属性５０９に対応付けられた色情報（図柄情報）５０１等が読み込まれる（Ｓ２６）。排出イメージの画像において各用紙画像の色が各属性に対応付けて選択された色に変換される（Ｓ２７）。
【００６５】
次に、排出先５１２はどこか判断される（Ｓ２８）。排出先５１２が標準排出トレイの場合（Ｓ２８；標準）、仕分け設定画面５００の排出イメージ５０６に上で生成された用紙画像が上書き表示される（Ｓ２９）。また、排出先５１２がオプション排出トレイの場合（Ｓ２８；オプション）、仕分け設定画面５００の排出イメージ５０７に上で生成された用紙画像が上書き表示される（Ｓ３０）。
【００６６】
このように、属性単位での仕分け設定の際に、属性単位での仕分け設定画面５００で、印刷装置２での仕分け結果を確認できるように、排出イメージ５０６、５０７で用紙通紙方向５１１、排出先５１２の設定に従った仕分け結果を表示させるようにしている。また、属性単位での仕分けは複数の属性に対して設定することができ、色情報５０１〜５０５を各属性単位の設定において設定値テーブル６００から設定できる。従って排出イメージ５０６、５０７の仕分け結果で、どの属性情報がどのような排出結果となるか判断できるように、色情報５０１〜５０５は任意の色に変更可能である。
【００６７】
ユーザが仕分け設定画面５００で仕分け結果を確認して、ＯＫボタン５０８を押下すると実際に印刷が開始される。印刷が開始されると、プリンタドライバ１０２は、印刷装置２に出力する印刷ジョブ情報のページ記述言語を生成し、印刷ジョブ情報の属性情報に仕分け属性５０９の識別文字列５１０が含まれていないか検索する。印刷ジョブ情報の属性情報に仕分け属性５０９の識別文字列５１０が含まれている場合には用紙通紙方向５１１、排出先５１２の設定に従って、通紙方向と排出先のプリンタジョブ言語が生成され印刷装置２に出力される。これにより、印刷装置２は、仕分け印刷を実行する。
【００６８】
また、プリンタドライバ１０２が、通紙方向と排出先のプリンタジョブ言語を生成するときに、属性単位での仕分け設定画面５００の各設定値が記憶部３１の仕分け情報３１１の設定値テーブル６００に記録される。
【００６９】
（第２の実施の形態の効果）
第２の実施の形態によれば、属性単位でのジョブセパレートによる仕分けもＧＵＩの仕分け設定画面で設定することにより、複雑な属性単位でのジョブセパレートの組合せも、仕分けの設定の際に仕分け結果が画像で表示される。特に、属性毎に出力を色分けして示すことにより各属性に対応する出力物がそれぞれ識別可能に表示される画像で例えばプリンタドライバ１０２のＧＵＩ画面に表示されるようになる。
【００７０】
［第３の実施の形態］
次に本発明の第３の実施の形態について説明する。本第３の実施の形態は、仕分け方法がジョブセパレート以外のオフセット排出や排出先切替の仕分け方法であっても仕分けの設定の際に仕分け結果を表示するようにしたものである。本第３の実施の形態の印刷システム１及び情報処理装置３の構成も上述した第１の実施の形態と同じである。
【００７１】
図１１は、情報処理装置３の第３の実施の形態の動作を示すフローチャートである。以下、フローチャートに沿って本第３の実施の形態における情報処理装置３の動作を説明する。
【００７２】
上述した第１の実施の形態と同様に、ユーザによって印刷が指示されると、図１１のフローチャートにおいて、プリンタドライバ１０２のＵＩ処理１１０は、前回印刷装置２において出力した印刷ジョブ情報の最後の通紙方向指定７００を記憶部３１の仕分け情報３１１から読み出す（Ｓ４０）。
【００７３】
図１２は、図６と同様、記憶部３１の仕分け情報３１１に保存されている、以前の印刷ジョブの仕分けで最後に出力された出力物の通紙方向指定７００の保存内容を表す図である。図１２に示すように、仕分け機能としてオフセット排出７０１、排出先切替７０２が設定されている。また、それぞれの仕分け方法に対応して、最後の通紙方向指定７００が「ミギまたはヒダリ」か、「標準排出トレイまたはオプション排出トレイ」か、が設定されている。
【００７４】
次に仕分け方法はオフセット排出か否か判断される（Ｓ４１）。仕分け方法がオフセット排出の場合には（Ｓ４１；Ｙｅｓ）、最後の通紙方向指定７００がミギ排出か否か判断される（Ｓ４２）。すなわち、印刷装置２の排出トレイにおいて排出物を排出トレイの右側に排出するか否かが判断される。
【００７５】
図１３は、次に印刷される最初の印刷ジョブの出力結果を視覚的に確認できるようにしたＧＵＩの表示画面に係る画像の例である。ミギ排出の場合にはミギ排出の画面８００が、ヒダリ排出の場合にはヒダリ排出の画面８０１が表示されるように選択される。
【００７６】
最後の通紙方向指定７００がミギ排出の場合には（Ｓ４２；Ｙｅｓ）、次の最初のジョブ出力としてヒダリ排出の画面８０１が表示される（Ｓ４３）。また、最後の通紙方向指定７００がミギ排出でなかった場合（Ｓ４２；Ｎｏ）、及びヒダリ排出の画面８０１が表示された（Ｓ４３）後は、最後の通紙方向指定７００がヒダリ排出か否か判断される（Ｓ４４）。
【００７７】
そして、最後の通紙方向指定７００がヒダリ排出の場合には（Ｓ４４；Ｙｅｓ）、次の最初のジョブ出力としてミギ排出の画面８００が表示される（Ｓ４５）。なお、最後の通紙方向指定７００がヒダリ排出でない場合には（Ｓ４４；Ｎｏ）、すでにヒダリ排出の画面８０１が表示されており（Ｓ４３）、ＯＫボタン２０４が押下されたか否かを判断することになる（Ｓ５０）。
【００７８】
一方、仕分け方法がオフセット排出でなかった場合には（Ｓ４１；Ｎｏ）、仕分け方法は排出先切替であり、排出トレイは標準排出トレイか否か判断される（Ｓ４６）。
【００７９】
このとき、図５に示す仕分け設定画面２００に表示される、次の最初のジョブ出力を示す表示画像として、排出先トレイを表示する画像が用意されている。図１４は、排出先切替での仕分けの場合に次に印刷される最初の印刷ジョブの出力結果を視覚的に確認できるようにしたＧＵＩの表示画面に係る画像の例である。図１４に示すように、標準排出トレイの画像９００と、オプション排出トレイの画像９０１が用意されている。
【００８０】
排出先が標準排出トレイの場合には（Ｓ４６；Ｙｅｓ）、次の最初のジョブ出力としてオプション排出トレイの画像９０１が表示される（Ｓ４７）。また、排出先が標準排出トレイでない場合（Ｓ４６；Ｎｏ）、及び最初のジョブ出力としてオプション排出トレイの画像９０１を表示した（Ｓ４７）後、排出先がオプション排出トレイか否か判断される（Ｓ４８）。
【００８１】
排出先がオプション排出トレイの場合には（Ｓ４８；Ｙｅｓ）、最初のジョブ出力として標準排出トレイの画像９００が表示される（Ｓ４９）。排出先がオプション排出トレイでない場合は（Ｓ４８；Ｎｏ）、すでにオプション排出トレイの画像９０１が表示されている（Ｓ４７）。いずれの場合も、最初のジョブ出力の画像が仕分け設定画面２００に表示されたら、ＯＫボタン２０４が押下されたか否か判断される（Ｓ５０）。ＯＫボタン２０４が押下された場合には（Ｓ５０；Ｙｅｓ）、実際の印刷が開始される。また、ＯＫボタン２０４が押下されていない場合には（Ｓ５０；Ｎｏ）、再度ＯＫボタン２０４の押下が確認される。
【００８２】
（第３の実施の形態の効果）
第３の実施の形態によれば、ジョブセパレート以外のオフセット排出や排出先切替の仕分けでも、実際の印刷の前に仕分け結果を具体的な排出先を示した画像で例えばプリンタドライバ１０２のＧＵＩ画面に表示されるようになる。
【００８３】
以上、本発明の実施の形態について説明してきたが、本発明は、上記実施の形態に限定されず、本発明の趣旨を逸脱しない範囲内で種々な変形が可能である。
【符号の説明】
【００８４】
１…印刷システム
２…印刷装置
３…端末装置（情報処理装置）
４…伝送媒体
３０…制御部
３１…記憶部
３２…通信部
１０１…アプリケーション
１０２…プリンタドライバ
１０３…スプーラ
１０４…言語モニタ
１１０…ＵＩ処理
１１１…描画処理
１１２…ＰＤＬ生成処理
１１３…ＰＪＬ生成処理
３００…仕分け方法設定手段
３０１…出力画像生成手段
３０２…表示手段
３０３…印刷ジョブ生成手段
３１０…印刷制御プログラム
３１１…仕分け情報
【図１】
0006638501.tif 000002
【図２】
0006638501.tif 000003
【図３】
0006638501.tif 000004
【図４】
0006638501.tif 000005
【図５】
0006638501.tif 000006
【図６】
0006638501.tif 000007
【図７】
0006638501.tif 000008
【図８】
0006638501.tif 000009
【図９】
0006638501.tif 000010
【図１０】
0006638501.tif 000011
【図１１】
0006638501.tif 000012
【図１２】
0006638501.tif 000013
【図１３】
0006638501.tif 000014
【図１４】
0006638501.tif 000015